(57)【要約】誘導電力供給された電流モニタリング、並びに関連装置、機器、システム、及び方法が開示されている。電流モニタリング装置は、誘導エネルギー移送媒体、エネルギー貯蔵装置、電力管理回路、及び処理回路を含むことができる。誘導エネルギー移送媒体は、エネルギー貯蔵装置内に貯蔵され得る電気エネルギーを生成するための起電力を誘導することができる。電力管理回路は、エネルギー貯蔵装置内の電気エネルギーの貯蔵を制御し、エネルギー貯蔵装置からの電気エネルギーの解放を制御することができる。処理回路は、誘導エネルギー移送媒体によって発生した変動磁界に基づいて、モニタリングされるエネルギーソース内の電流を測定することができる。処理回路は、エネルギー貯蔵装置から解放された電気エネルギーを使用して電力供給される電力管理回路に電気的に結合されている。
2020526175.tif 000002
【特許請求の範囲】
【請求項１】
電流モニタリング装置であって、
変動磁界が、モニタリングされるエネルギーソース内の変動する電流の流れから内部で誘導される電気的構成要素であって、前記変動磁界が、電気エネルギーを提供するための起電力を生成する、電気的構成要素と、
前記電気エネルギーの第１の部分を貯蔵するためのエネルギー貯蔵装置と、
前記エネルギー貯蔵装置内の電気エネルギーの前記第１の部分の貯蔵を制御するための電力管理回路と、
前記エネルギー貯蔵装置から解放される前記電気エネルギーの前記第１の部分によって電力供給される処理回路と、を備え、前記処理回路が、
前記電気エネルギーの第２の部分に基づいて、前記モニタリングされるエネルギーソース内の現在のリアルタイム電流を検出し、
前記エネルギー貯蔵装置内に前記電気エネルギーの前記第１の部分を貯蔵する間に前記モニタリングされるエネルギーソース内にあった過去の電流を算出し、前記過去の電流が、前記電気エネルギーの前記第１の部分、及び以前に検出されたリアルタイム電流と前記現在のリアルタイム電流との間の経過した時間に基づく、電流モニタリング装置。
【請求項２】
貯蔵される前記エネルギー貯蔵装置への、前記電気エネルギーの前記第１の部分の送出、並びに前記モニタリングされるエネルギーソース内の前記現在のリアルタイム電流を検出し、かつ前記モニタリングされるエネルギーソース内にあった前記過去の電流を算出するための前記処理回路への、前記電気エネルギーの前記第２の部分の送出を制御するための送出回路を更に備える、請求項１に記載の電流モニタリング装置。
【請求項３】
前記送出回路が、前記エネルギー貯蔵装置内の前記電気エネルギーの前記第１の部分を貯蔵することから、前記エネルギー貯蔵装置から前記電気エネルギーの前記第１の部分を解放することへの移行において、前記電力管理回路によって切り替えられるゲートを含み、
前記ゲートが、前記エネルギー貯蔵装置から前記処理回路への、前記電気エネルギーの送出を切り替える、請求項２に記載の電流モニタリング装置。
【請求項４】
前記電力管理回路が、前記電力管理回路及び前記処理回路のうちの一方又は両方を開閉するリレーを含む、請求項１に記載の電流モニタリング装置。
【請求項５】
前記モニタリングされるエネルギーソース内の前記変動する電流の前記流れが、交流（alternating current、ＡＣ）である、請求項１に記載の電流モニタリング装置。
【請求項６】
前記モニタリングされるエネルギーソース内の前記変動する電流の前記流れが、直流（direct current、ＤＣ）である、請求項１に記載の電流モニタリング装置。
【請求項７】
エネルギーモニタリング装置であって、
変動磁界が、モニタリングされるワイヤ内の変動する電流の流れから内部で誘導されるインダクタであって、前記変動磁界が、電気エネルギーを提供するための起電力を生成する、インダクタと、
前記インダクタによって生成された電気エネルギーを貯蔵するための、前記インダクタに結合されたエネルギー貯蔵装置と、
前記エネルギー貯蔵装置によって電力供給されたときに、前記モニタリングされるワイヤ内のリアルタイム電流を測定するための分析回路であって、前記エネルギー貯蔵装置は、貯蔵された電気エネルギーの所定の閾値レベルが満たされるときに、前記分析回路に電力を供給する、分析回路と、
電流モニタリングパラメータを送信するための送信機であって、前記電流モニタリングパラメータの内容及びタイミングは、前記分析回路が前記リアルタイム電流を測定するための電力を供給される前に、前記モニタリングされるワイヤ上に伝導する電気エネルギーを示し、前記分析回路が電力を供給されている間に、前記モニタリングされるワイヤ上に伝導する電気エネルギーを示す、送信機と、を備える、エネルギーモニタリング装置。
【請求項８】
前記エネルギー貯蔵装置が、コンデンサである、請求項７に記載のエネルギーモニタリング装置。
【請求項９】
前記エネルギー貯蔵装置に電気的に結合された電力管理回路を更に備え、前記電力管理回路が、前記エネルギー貯蔵装置内の前記電気エネルギーの貯蔵と、前記エネルギー貯蔵装置からの前記電気エネルギーの解放との間の切り替えを管理する、請求項７に記載のエネルギーモニタリング装置。
【請求項１０】
前記電流モニタリングパラメータが、前記エネルギー貯蔵装置の貯蔵容量を含み、前記所定の閾値レベルが、前記貯蔵容量に対応する、請求項７に記載のエネルギーモニタリング装置。
【請求項１１】
前記送信機は、貯蔵された電気エネルギーの前記所定の閾値レベルが満たされ、かつエネルギー貯蔵装置が前記送信機に電力を供給するときに、前記電流モニタリングパラメータを送信し始める、請求項７に記載のエネルギーモニタリング装置。
【請求項１２】
機械可読命令を含む機械可読記憶媒体であって、前記命令が、１つ以上のプロセッサにより実行されたときに、前記１つ以上のプロセッサに、
第１の時間帯の間に、エネルギーモニタリング装置から第１の組の電流モニタリングパラメータを受信することであって、前記電流モニタリングパラメータが、前記第１の時間帯中に、モニタリングされるエネルギーソース内の測定された電流を含む、受信することと、
第２の時間帯の間、エネルギーモニタリング装置から第２の組の電流モニタリングパラメータを受信することであって、電流モニタリングパラメータが、第２の時間帯中、モニタリングされるエネルギーソース内の測定された電流を含み、第１の時間帯及び第２の時間帯が異なり、かつ第１の時間帯と第２の時間帯との間に第３の時間帯が存在する、受信することと、
所定の閾値に到達するのに必要とされる電流量に基づいて、第３の時間帯中、モニタリングされるエネルギーソースを通過した過去の電流を算出することと、を含む、動作を実行させるように構成されている、機械可読記憶媒体。
【請求項１３】
前記第１の組の電流モニタリングに対応する第１のタイムスタンプを発生させることと、
前記第２の組の電流モニタリングに対応する第２のタイムスタンプを発生させることと、
前記第１のタイムスタンプと前記第２のタイムスタンプとの間の経過した時間量に基づいて、前記第３の時間帯の長さを算出することと、を更に含む、請求項１２に記載の機械可読記憶媒体。
【請求項１４】
前記エネルギーモニタリング装置のエネルギー貯蔵容量を受信することを更に含む、請求項１２に記載の機械可読記憶媒体。
【請求項１５】
前記所定の閾値が、前記エネルギー貯蔵容量を充満するのに必要とされる電流である、請求項１４に記載の機械可読記憶媒体。
【請求項１６】
前記所定の閾値が、前記エネルギーモニタリング装置に電力供給するのに必要とされる電流である、請求項１２に記載の機械可読記憶媒体。
【請求項１７】
第２のエネルギーモニタリング装置から、第２のモニタリングされるエネルギーソース上の電流測定値を受信することと、前記第２のエネルギーモニタリング装置に電力供給するのに必要とされる電流量に基づいて、電流測定値が利用不可能である時間帯の間に、前記第２のモニタリングされるエネルギーソース上の電流を算出することと、を更に含む、請求項１２に記載の機械可読記憶媒体。
【請求項１８】
電流モニタリングパラメータは、前記モニタリングされるエネルギーソース内の前記測定された電流が区別され得るように、識別を含む、請求項１７に記載の機械可読記憶媒体。
【請求項１９】
エネルギーソース内の電流をモニタリングするための方法であって、前記方法が、
誘導により送出回路内部で電気エネルギーを生成することであって、モニタリングされるエネルギーソース内の変動する電流の流れから発生した変動磁界から、前記送出回路内の起電力を駆動することを含む、生成することと、
前記電気エネルギーをエネルギー貯蔵装置内に貯蔵することと、
貯蔵された電気エネルギーの所定の閾値レベルが満たされると、処理回路に電力供給するように前記エネルギー貯蔵装置から前記電気エネルギーを解放することと、
前記送出回路を前記処理回路に電気的に結合することと、
前記処理回路によって１つ以上の動作を実行することであって、前記エネルギー貯蔵装置からの前記電気エネルギーが前記処理回路に電力供給している間、前記送出回路内の誘導に基づいて、前記モニタリングされるエネルギーソース内のリアルタイム電流を測定することを含む、実行することと、
前記電流エネルギーが前記エネルギー貯蔵装置内に貯蔵されていたときに、前記モニタリングされるエネルギーソース内にあった過去の電流を推測することであって、前記過去の電流が、前記所定の閾値に基づいて推測され、前記所定の閾値レベルが満たされたときに推測される、推測することと、を含む、方法。
【請求項２０】
前記過去の電流が、測定値とエネルギー貯蔵装置容量との間の時間に基づいて、推測される、請求項１９に記載の方法。
【発明の詳細な説明】
【技術分野】
【０００１】
［関連出願の相互参照］
本出願は、２０１８年３月２６日に出願された、「ＩＮＤＵＣＴＩＯＮ  ＰＯＷＥＲＥＤ  ＥＬＥＣＴＲＩＣＩＴＹ  ＣＵＲＲＥＮＴ  ＭＯＮＩＴＯＲＩＮＧ」と題する米国特許出願第１５／９３６，２２５号に対する優先権を主張し、この出願は、２０１７年６月２６日に出願された、「ＩＮＤＵＣＴＩＯＮ  ＰＯＷＥＲＥＤ  ＥＬＥＣＴＲＩＣＩＴＹ  ＣＵＲＲＥＮＴ  ＭＯＮＩＴＯＲＩＮＧ」と題する米国仮特許出願第６２／５２５，１１６号の利益を主張し、それらの各々は、その全体が参照により本明細書に組み込まれる。
【０００２】
（発明の分野）
本開示は、電流をモニタリングすることに関し、より具体的には、誘導電力供給された電流モニタリングに関する。
【図面の簡単な説明】
【０００３】
追加の態様及び利点は、添付図面を参照して進む、以下の好ましい実施形態の詳細な説明から明らかになるであろう。
【図１】本開示の一実施形態による電流モニタリング装置である。
【図２】本開示の別の実施形態による電流モニタリング装置である。
【図３】本開示の別の実施形態による電流モニタリング装置である。
【図４】一実施形態による、電流モニタリング装置の処理回路のブロック図である。
【図５】一実施形態による、エネルギーソース内の電流をモニタリングする方法のフロー図である。
【図６】本開示の一実施形態による、電流モニタリング装置及び電流モニタリングハブのブロック図である。
【発明を実施するための形態】
【０００４】
電気のリモートモニタリングは、典型的なモニタリング装置が、遠隔地への測定を操作及び／又は通信するための電力を必要とするため、困難であり得る。更に、現在利用可能である電流モニタリング装置は、モニタリング又は測定を提供するために、電力供給されなければならない。
【０００５】
本開示は、誘導電力供給された電流モニタリング、並びに関連装置、機器、及び方法を提供する。本明細書に開示された特定の実施形態は、モニタリングされるエネルギーソース（例えば、ワイヤ）からの誘導によって電力を収集し、収集した電力をエネルギー貯蔵装置内に貯蔵し、次いで、貯蔵されたエネルギーを解放して処理回路に電力供給する。処理回路は、モニタリングされるエネルギーソース内部のどちらが電気的な活性を推測するべきかから、リアルタイムのサンプル又は測定値を取得することができる。解放されたエネルギーは、更に、処理回路に電力供給して、情報を送信及び／又は受信することができる。
【０００６】
誘導により電力を収集することによって、開示された実施形態は、離れた電源又は接続へのアクセスを考慮せずに、遠隔地又は任意の場所で、より容易に展開され得る。
【０００７】
本開示は、以下に提供される詳細な説明から、並びに本明細書の様々な実施形態、方法、及び例の図面から、より良く理解されるであろう。しかしながら、これらの特定のものは、本開示の様々な実施形態をより良く理解するのに役立つ説明的な目的のために提供される。したがって、本発明は、記載された実施形態、方法、及び例によって限定されるべきではないが、特許請求される本発明の範囲及び趣旨内のすべての実施形態及び方法によって限定される。
【０００８】
図１は、本開示の一実施形態による電流モニタリング装置１００である。この電流モニタリング装置１００は、誘導エネルギー移送電気構成要素１１０、エネルギー貯蔵装置１２０、送出回路１３０、電力管理回路１４０、及び処理回路１５０を備える。電流モニタリング装置１００は、誘導的に電力供給され、第１の導電体１０（例えば、モニタリングされるエネルギーソース）内の電流をモニタリングすることができる。この第１の導電体１０は、ビルへの三相電力線内などのワイヤであってもよい。他の実施形態では、第１の導電体１０は、導電性パネルであってもよい。
【０００９】
誘導エネルギー移送電気構成要素１１０は、変流器であってもよい。別の実施形態では、誘導エネルギー移送電気構成要素１１０は、誘導周波数パネル（例えば、無接点電磁誘導充電のために、ワイヤレスパワーコンソーシアムによって開発されたオープンインターフェース標準規格であるＱｉと互換性がある）であってもよい。誘導エネルギー移送電気構成要素１１０は、第１の導電体１０内の変動する電流の流れから変動磁界を生成することができる。
【００１０】
いくつかの実施形態では、第１の導電体１０内の変動する電流の流れは、交流（alternating current、ＡＣ）であってもよい。他の実施形態では、第１の導電体１０内の変動する電流の流れは、直流（direct current、ＤＣ）であってもよい。
【００１１】
変動磁界は、第２の導電体１３２内部で起電力を誘導して、電気エネルギーを生成することができる。この第２の導電体１３２は、送出回路１３０に電気的に結合又は包含されているコイル又はワイヤであってもよい。第２の導電体１３２は、誘導エネルギー移送電気構成要素１１０に電気的に結合されている。
【００１２】
送出回路１３０は、第２の導電体１３２からエネルギー貯蔵装置１２０及び／又は処理回路１５０への電気的な結合を提供することができる。送出回路１３０は、エネルギー貯蔵装置１２０又は処理回路１５０のいずれかへの電流の送出を制御又は方向付けをすることができる。言い替えると、誘導エネルギー移送電気構成要素１１０によって次々に生成される変動磁界は、送出回路１３０内に起電力を誘導して、電気エネルギーの、エネルギー貯蔵装置１２０への送出のための電流を提供する。
【００１３】
一実施形態では、送出回路１３０は、電力管理回路１４０によって切り替えられるゲートを含むことができる。例えば、電力管理回路１４０は、送出回路１３０のゲートに方向付けをして（例えば、信号を供給して）、エネルギー貯蔵装置１２０内の電気エネルギーの貯蔵を方向付けることができる。エネルギー貯蔵装置１２０が電気エネルギーを処理回路１５０へ解放すると、電力管理回路１４０は、送出回路１３０に方向付けをして、処理回路１５０への電流の送出に移行（例えば、切り替え）することができる。
【００１４】
エネルギー貯蔵装置１２０は、誘導起電力によって生成された電気エネルギーを貯蔵することができる。他の実施形態では、エネルギー貯蔵装置１２０は、電気的、機械的、又はこれらの組み合わせのエネルギーにかかわらず、エネルギーを貯蔵することができる任意の装置であってもよい。一実施形態では、エネルギー貯蔵装置１２０は、バッテリであってもよい。別の実施形態では、エネルギー貯蔵装置１２０は、コンデンサであってもよい。エネルギー貯蔵装置１２０は、一定量によって表され得るエネルギー量を貯蔵してもよく、又はそれ以外では、固定された若しくは予測可能な量と理解され得るエネルギー量を貯蔵してもよい。エネルギー貯蔵装置１２０は、送出回路１３０に電気的に結合され、そしてその送出回路から電流を受け取って、エネルギーとして貯蔵することができる。エネルギー貯蔵装置１２０は、エネルギー貯蔵の閾値レベルに到達すると、貯蔵されたエネルギーを処理回路１５０に解放することができる。
【００１５】
電力管理回路１４０は、エネルギー貯蔵装置１２０内の電気エネルギーの貯蔵を制御するか、又はそれ以外では、方向付けすることができる。例えば、電力管理回路１４０は、送出回路１３０のゲートに方向付けをして（例えば、信号を提供して）、エネルギー貯蔵装置１２０内の電気エネルギーの貯蔵を方向付けすることができる。いくつかの実施形態では、電力管理回路１４０はまた、エネルギー貯蔵装置１２０からの電気エネルギーの解放を制御するか、又はそれ以外では方向付けてもよい。いくつかの実施形態では、電力管理回路１４０はまた、処理回路１５０への電流の送出に移行する（例えば、切り替える）ように、送出回路１３０のゲートに方向付けをしてもよい。
【００１６】
一実施形態では、電力管理回路１４０は、電力管理回路１４０及び処理回路１５０のうちの一方又は両方の電気回路を電気機械的又は電子的に開閉するリレーを含むことができる。例えば、このリレーは、エネルギー貯蔵装置１２０からのエネルギーの解放時に閉じるか、又は応答して閉じてもよい。リレーを閉じることにより、電気信号が、送出回路１３０のゲートに方向付けをして、処理回路１５０に電流を方向付けることができる。リレーは、処理回路１５０へのエネルギー解放の停止において、又はそれに応答して開くことができる。リレーを開くことにより、電気信号が、送出回路１３０のゲートに方向付けをして、エネルギー貯蔵装置１２０に電流を方向付けることができる。別の言い方をすれば、リレーは、第１の位置で電力管理回路１４０を閉じ、かつ処理回路１５０を開き、第２の位置で電力管理回路１４０を開き、かつ処理回路１５０を閉じる。
【００１７】
一実施形態では、処理回路１５０は、第１の導電体１０内の電流をリアルタイムで検出及び／又は測定することができる。例えば、処理回路１５０は、送出回路１３０内の誘導、電圧、及び／又は電流に基づいて、リアルタイムサンプル又は読み取り値を取得して、第１の導電体１０内の電流を測定することができる。前述したように、処理回路１５０は、エネルギー貯蔵装置１２０から解放されたエネルギーによって電力供給されてもよい。処理回路１５０は、電力管理回路１４０に電気的に結合されて、エネルギー貯蔵装置１２０からのエネルギーの解放を受け取ることができる。
【００１８】
処理回路１５０は、標準的なマイクロプロセッサなどの１つ以上の汎用装置を含んでもよい。処理回路１５０は、専用処理装置、又は他のカスタマイズされた又はプログラム可能な装置を含んでもよい。処理回路１５０は、標準的なオペレーティングシステムを実行し、標準的なオペレーティングシステム機能を実行してもよい。
【００１９】
処理回路１５０は、インターネット及び／若しくは他のコンピューティング、並びに／又は通信ネットワークなどの他のコンピューティング装置及び／又はネットワークとの通信を容易にするためのネットワークインターフェース及び／又は無線ネットワークインターフェースを含んでもよい。
【００２０】
処理回路１５０は、情報を別のコンピューティング装置１２及び／又はネットワーク１４（例えば、インターネット）に送信することができる。いくつかの実施形態では、送信は、無線技術を介した無線プロトコルによって行われてもよい。送信は、第１の導電体１０内の電流について取得された測定値を示すデータを含んでもよい。このようにして、第１の導電体１０内の電流は、リモートで（例えば、リモートオペレーションセンタから）モニタリング及び／又は測定され得る。更に、電流の測定値は、第１の導電体１０からリモートで処理され得る。第１の導電体１０内の電流に関するデータはまた、モバイル装置１６上のアプリケーションなどを介してリモートユーザにも提示され得る。他の実施形態では、データは、他のユーザインターフェースを介して提示されてもよく、それらのユーザインターフェースとしては、ウェブインターフェース、コンパイルされたプログラム、ダウンロード可能な表計算ソフト、ＡＰＩ、組み込み型スクリーン、サウンド、警報、通知などが挙げられるが、これらに限定されない。
【００２１】
処理回路１５０はまた、ネットワーク１４及び／又は他のコンピューティング装置１２などからの情報の送信を受信してもよい。送信は、命令、ソフトウェア及び／又はファームウェアの更新、設定等を含んでもよい。
【００２２】
理解され得るように、他の実施形態では、処理回路１５０は、第１の導電体１０（又はモニタリングされるエネルギーソース）内の電流の検出及び／若しくは測定に加えて又はそれら以外に、様々な機能を達成するための動作を実行する任意の様々な消費回路（例えば、エネルギーを消費する）を含むことができる。例えば、処理回路１５０は、導電体又は導電体の部分の両端間電圧を検出又は測定してもよい。処理回路１５０は、単にデータの送信を提供してもよい。いくつかの実施形態では、処理回路１５０は、２つ以上のモニタリングされるエネルギーソースに関する電圧及び／又は電流データを一度に収集してもよい。別の実施形態では、処理回路１５０は、どのくらいの電流が消費され、かつどのくらいの時間のオフ状態中の経過時間から推測することができる。これは、エネルギー貯蔵システム１２０を充電するための（導電体を通る）電流の量を知り、最後の読み取りのタイムスタンプ、及び即時活性化のタイムスタンプを取得することによって、達成され得る。その結果、処理回路１５０は、各読み取りの間における第１の導電体１０（又はモニタリングされるエネルギーソース）上で必要なベース電流負荷を消費するためにどれくらいの時間が経過したかについての推測を引き出すことができる。言い替えると、電流モニタリング装置１００は、システムが再度の電力投入のためのｘ個のエネルギーを必要とすることを考慮し、したがって、モニタリング装置１００が充電している間に既知のエネルギー量が生じた差し引き量（例えば、最後の測定値及び次の測定値の所与のタイムスタンプ）を可能にすることによって、オフ状態にある間にエネルギーを計測することができる。電流モニタリング装置１００は、リアルタイム読み取り値（モニタリング装置１００、具体的には、処理回路１５０が、電力供給されている間）、及び蓄積されたデータ（モニタリング装置１００が充電している間）の両方を提供することができる。
【００２３】
他の実施形態では、処理回路１５０によって提供される処理機能性は、他のコンピューティング装置１２、又はいくつかの他のリモートコンピューティング装置（例えば、電流モニタリングハブ、又はクラウドコンピューティング環境内などの他のコンピューティング装置）によって実行されてもよい。
【００２４】
所望の動作が完了すると、処理回路１５０は、エネルギー貯蔵装置１２０内に貯蔵されたあらゆる余剰エネルギーを吐き出し、その結果、処理回路１５０のその後のサイクル中を考慮して、既知のエネルギー量が、エネルギー貯蔵装置１２０内に貯蔵されていることを確実にすることができる。処理回路１５０は、発光ダイオード（light emitting diode、ＬＥＤ）を点灯すること、別個の無線機、ビーコン（例えば、より長いブルートゥースビーコン）、処理プラットフォーム、又は再配置されたエネルギー余剰の他の使用に電力供給することによって、エネルギーを吐き出してもよい。エネルギーが、エネルギー貯蔵装置１２０から外へ引き出される限り、この余剰エネルギーは、所望に応じて使用され得る。
【００２５】
図２は、本開示の別の実施形態による電流モニタリング装置２００の略図である。図２の電流モニタリング装置２００は、図１に関連して上述された電流モニタリング装置１００に類似していてもよい。したがって、同様の特徴は、先頭の桁を「２」に増やした同様の参照数字を用いて指定され得る。したがって、類似して特定される特徴に関して上述された、関連性のある開示は、以降では繰り返されない場合がある。更に、電流モニタリング装置２００の具体的な特徴は、図面内の参照数字によっては表示若しくは特定されていないか、又は以下に記載された説明の中には、具体的に論述されない場合がある。しかし、このような特徴は、その他の実施形態で示される特徴、及び／又は、このような実施形態に関して記載される特徴と、明白に同じもの、あるいは実質的に同じものとすることができる。したがって、このような特徴の関連する記載は、電流モニタリング装置２００の特徴に同様に適用する。電流モニタリング装置１００に関連して同じく記載された特徴及び変形の任意の好適な組み合わせが、電流モニタリング装置２００と共に用いられ得、逆もまた同様である。このパターンでの開示は、続く図面及び以後に説明される更なる実施形態に同等に適用される。
【００２６】
図２は、ワイヤであるモニタリングされるエネルギーソース１０の周りの誘導性ループによって誘導的に電力供給されている電流モニタリング装置２００である。電流モニタリング装置２００は、変流器２１０、電気エネルギーを貯蔵するためのコンデンサ２２０、送出回路２３０、電力管理回路２４０、及び分析回路２５０を備える。電流モニタリング装置２００は、誘導的に電力供給され、モニタリングされるエネルギーソース１０（例えば、三相電源のうちの第１のワイヤ、又は他の導電体）内の電流をモニタリングすることができる。
【００２７】
一実施形態では、変流器２１０は、ＣＴクランプ（又は変流器クランプ）であってもよく、これは、変流器２１０を、モニタリングされるエネルギーソース１０の周りにクリップ留めするか、又はそれ以外では、締め付けるか若しくはインターフェース接続することを可能にするスプリットコアを有する。変流器２１０は、モニタリングされるエネルギーソース１０内で変動する電流の流れからの変動磁界を伝導し得る。いくつかの実施形態では、モニタリングされるエネルギーソース１０内で変動する電流の流れは、ワイヤ内部の交流（ＡＣ）であってもよい。他の実施形態では、モニタリングされるエネルギーソース１０内の変動する電流の流れは、モニタリングされるエネルギーソース１０内部で、変動流（例えば、変動強度又は変動速度）を有する直流（ＤＣ）であってもよい。
【００２８】
変流器２１０内部の変動磁界は、第２のワイヤ２３２内部で起電力を次々に伝導して、電気エネルギーを生成することができる。ワイヤ２３２は、送出回路２３０に電気的に結合されるか、又はその中に含まれる。
【００２９】
送出回路２３０は、コンデンサ２２０を充電するための充電回路と、分析回路２５０への電気的結合を提供する提供回路との間の選択的切り替えを提供することができる論理ゲートを含むことができる。別の言い方をすれば、送出回路２３０の論理ゲートは、コンデンサ２２０又は分析回路２５０のいずれかに（ワイヤ２３２内に誘導された）電流を制御するか、又は方向付けをすることができる。送出回路２３０の論理ゲートは、電力管理回路２４０からの信号に基づいて、応答する（例えば、切り替える）ことができる。言い替えると、変流器２１０によって生成された変動磁界は、ワイヤ２３２内で起電力を誘導することができ、その起電力は、送出回路２３０によって伝播及び方向付けされ、又はそれ以外では制御され得、エネルギー貯蔵装置２２０への電気エネルギー（例えば、電流）、又は分析回路２５０により分析される電気エネルギー（例えば、電圧）のいずれかを提供することができる。
【００３０】
コンデンサ２２０は、ワイヤ２３２内部で誘導された起電力によって生成された電気エネルギーを貯蔵することができる。コンデンサ２２０は、固定され、一定量によって表され得、又はそれ以外では固定された若しくは予測可能な量と理解され得る、エネルギー量を貯蔵することができる。コンデンサ２２０は、送出回路２３０に電気的に結合され、そしてその送出回路から電流を受け取って、エネルギーとして貯蔵することができる。コンデンサ２２０は、エネルギー貯蔵の閾値レベルに到達すると、分析回路２５０に電力供給するために使用され得る、貯蔵されたエネルギーを解放することができる。
【００３１】
電力管理回路２４０は、送出回路２３０の動作を制御するか、又はそれ以外では指示、命令、若しくは教示することができる。電力管理回路２４０は、リレー（又は他のスイッチ）を含み、そのリレーは、コンデンサ２２０からの電気エネルギーの解放時又はその解放において動作することができる。リレーは、送出回路２３０の論理ゲートに信号を送信して、論理ゲートに、コンデンサ２２０と分析回路２５０との間の誘導電流の送出を切り替えさせることができる。別の言い方をすれば、電力管理回路２４０のリレーにより、第１の位置において電力管理回路２４０にコンデンサ２２０内のエネルギーを貯蔵することを完成させ、第２の位置において回路に分析回路２５０による分析のための誘導電流を導くことを完成させる。
【００３２】
電力管理回路２４０はまた、コンデンサ２２０からの電気エネルギーの解放を制御して、分析回路２５０に電力供給することができる。
【００３３】
一実施形態では、分析回路２５０は、モニタリングされるエネルギーソース１０内の電流を検出及び／又は測定することができる処理回路であってもよい。例えば、分析回路２５０は、リアルタイムサンプル又は読み取り値を取得して、モニタリングされるエネルギーソース１０内の電流の測定値を算出することができる。具体的には、分析回路２５０は、ワイヤ２３２の両端間の電圧のリアルタイムサンプル又は読み取り値を取得し得、その結果、時間帯にわたってモニタリングされるエネルギーソース１０上の電流が、推測され得る。電流Ｉは、以下の基本電力方程式に基づいて、推測され得る。
Ｐ＝Ｉ＊Ｖ        （式１）
Ｉ＝Ｐ／Ｖ        （式２）
コンデンサ２２０は、固定された、又はそれ以外では予測可能な電力量（例えば、９０ミリワット）を貯蔵することができる。コンデンサ２２０からの電力の解放は、所与の時間帯の間にコンデンサ２２０によって貯蔵された電力量を示すことができる。次いで、リアルタイム電圧読み取り値を使用して、電流を推測することができる。
【００３４】
他の実施形態では、分析回路２５０は、モニタリングされるエネルギーソース１０によってワイヤ２３２内に誘導された電流の読み取り値を取得することができる。
【００３５】
記述されているように、分析回路２５０は、コンデンサ２２０から解放されたエネルギーによって電力供給されてもよい。分析回路２５０は、コンデンサ２２０及び／又は電力管理回路２４０に電気的に結合されて、コンデンサ２２０からのエネルギーの解放を受け取ることができる。
【００３６】
分析回路２５０は、１つ以上の汎用及び／若しくは専用処理装置、又は他のカスタマイズされた若しくはプログラム可能な装置を含んでもよい。分析回路２５０は、標準的なオペレーティングシステムを実行し、標準的なオペレーティングシステム機能を実行してもよい。
【００３７】
分析回路２５０は、ネットワークインターフェース及び／又は無線ネットワークインターフェースを含み、インターネット及び／又は他のコンピューティング及び／又は通信ネットワーク及び／若しくはインターフェースなどの他のコンピューティング装置及び／若しくはネットワークとの通信を容易にすることができる。分析回路２５０は、情報を（例えば、無線プロトコルを介して）アクセスノード１２（例えば、無線アクセスポイント又は他のコンピューティング装置）に送信してもよく、そのアクセスポイントは、ネットワーク１４（例えば、インターネット）に結合され得る。送信は、ＩＤ（例えば、ブルートゥースＩＤ、装置ＩＤ）を示すデータ、並びにモニタリングされるエネルギーソース１０内の電圧及び／又は電流の測定値を含んでもよい。送信は、セキュリティに役立つように暗号化されてもよい。次々に、モニタリングされるエネルギーソース１０内の電圧及び／又は電流は、リモートで（例えば、リモートオペレーションセンタから）推測及び／又はモニタリング（例えば、測定）され得る。更に、電圧及び／又は電流の測定は、モニタリングされるエネルギーソース１０からリモートで処理され得る。モニタリングされるエネルギーソース１０内の電圧及び／又は電流に関するデータはまた、例えば、モバイル装置１６上のアプリケーションを介して、リモートユーザにも提示され得る。
【００３８】
分析回路２５０はまた、アクセスノード１２を経由して、例えば、ネットワーク１４からの情報を（例えば、無線プロトコルを介して）受信することもできる。受信した情報は、命令、ソフトウェア及び／又はファームウェアの更新、設定等を含んでもよい。例えば、受信した情報は、セキュリティプロトコル及び／又はセキュリティシステムに対する更新を含んでもよい。
【００３９】
上述した電流モニタリング装置２００は、多くの点で有利である。例えば、電流モニタリング装置２００は、パッシブ充電システムを介して、モニタリングされるエネルギーソース１０内の電流スループットを測定することができる。電流モニタリング装置２００は、モニタリングされるエネルギーソース１０からのエネルギーを収集し、次いでモニタリングされるエネルギーソース１０内の電流のスループットをサンプリング又は測定する。
【００４０】
現在入手可能な電流計及び装置、並びに電流を測定する方法は、電力供給されているときにのみ動作し、その結果、電力が切断されているか、又は利用不可能である場合、電流計は、測定値を取得することができない。
【００４１】
対照的に、本開示は、電力供給されていない間、モニタリングされるエネルギーソース１０内の電流を実質的にモニタリングし続けることができる分析回路２５０を提供する。本開示の電流モニタリング装置２００の構成要素の配置及び動作は、前例のない低電力リモート電流モニタリングを可能にする。
【００４２】
図３は、本開示の別の実施形態による電流モニタリング装置３００である。この電流モニタリング装置３００は、第１の誘導エネルギー移送媒体３１０、第２の誘導エネルギー移送媒体３１２、エネルギー貯蔵装置３２０、送出回路３３０、電力管理回路３４０、及び処理回路３５０を備える。電流モニタリング装置３００は、第１の導電体１０ａ（例えば、プライマリエネルギーソース）を流れる電流に基づいて、誘導的に電力供給されて、第２の導電体１０ｂ（例えば、モニタリングされるエネルギーソース）内の電流をモニタリングする。第１の導電体１０ａ及び第２の導電体１０ｂは、例えば、ビルへの三相電力線内のワイヤであってもよい。他の実施形態では、第１の導電体１０ａ及び／又は第２の導電体１０ｂは、導電性パネル又は他の種類の導電体であってもよい。
【００４３】
第１の誘導エネルギー移送媒体３１０は、変流器などの誘導エネルギー移送電気構成要素であってもよい。別の実施形態では、第１の誘導エネルギー移送媒体３１０は、誘導周波数パネルであってもよい。起電力は、第１の導電体１０ａ内の変動する電流の流れによって、第１の誘導エネルギー移送媒体３１０内に誘導される。第１の誘導エネルギー移送媒体３１０内に誘導された起電力は、送出回路３３０のワイヤ３３２内部で伝導して、電気エネルギーを送出する。
【００４４】
送出回路３３０は、第１の誘導エネルギー移送媒体３１０の、エネルギー貯蔵装置３２０への電気的な結合を提供することができる。言い替えると、第１の誘導エネルギー移送媒体３１０によって次々に生成された変動磁界は、送出回路３３０内に起電力を誘導して、エネルギー貯蔵装置３２０に電気エネルギーを送出するための電流を提供する。
【００４５】
エネルギー貯蔵装置３２０は、誘導された起電力によって生成された電気エネルギーを貯蔵する。一実施形態では、エネルギー貯蔵装置３２０は、バッテリであってもよい。別の実施形態では、エネルギー貯蔵装置３２０は、コンデンサであってもよい。エネルギー貯蔵装置３２０は、一定量によって表され得、又はそれ以外では固定された若しくは予測可能な量であると理解され得るエネルギー量を貯蔵してもよい。エネルギー貯蔵装置３２０は、エネルギー貯蔵の閾値レベルに到達すると、貯蔵されたエネルギーを処理回路３５０に解放することができる。
【００４６】
電力管理回路３４０は、エネルギー貯蔵装置３２０内の電気エネルギーの貯蔵を制御するか、又はそれ以外では方向付けすることができる。いくつかの実施形態では、電力管理回路３４０はまた、エネルギー貯蔵装置３２０からの電気エネルギーの解放を制御するか、又はそれ以外では方向付けしてもよい。一実施形態では、電力管理回路３４０は、電力管理回路３４０の電気回路を電気機械的又は電子的に開閉するリレーを含むことができる。
【００４７】
第２の誘導エネルギー移送媒体３１２は、変流器であってもよい。別の実施形態では、第２の誘導エネルギー移送媒体３１２は、誘導周波数パネルであってもよい。第２の誘導エネルギー移送媒体３１２は、第２の導電体１０ｂ内の変動する電流の流れから変動磁界を生成することができる。変動磁界は、処理回路３５０のワイヤ３５２内部で起電力を誘導して、処理回路３５０によってサンプリング、測定、又はそれ以外では分析され得る電気エネルギーを生成することができる。
【００４８】
一実施形態では、処理回路３５０は、第２の導電体１０ｂ内の電流をリアルタイムで検出及び／又は測定することができる。例えば、処理回路３５０は、ワイヤ３５２内の誘導（例えば、第２の誘導エネルギー移送媒体３１２によって誘導された変動磁界）、電圧、及び／又は電流に基づいて、第１の導電体１０ａ内の電流を測定するためのリアルタイムサンプル又は読み取り値を取得することができる。前述したように、処理回路３５０は、エネルギー貯蔵装置３２０から解放されたエネルギーによって電力供給されて、サンプリング、読み取り、及び／又は測定動作を実行するか、又はそれ以外では第２の導電体１０ｂ内の電流を推測することができる。処理回路３５０は、電力管理回路３４０に電気的に結合されて、エネルギー貯蔵装置３２０からのエネルギーの解放を受け取ることができる。
【００４９】
処理回路３５０は、ネットワークインターフェース及び／又は無線ネットワークインターフェースを含み、インターネット、並びに／又は他のコンピューティング及び／若しくは通信ネットワークなどの他のコンピューティング装置及び／又はネットワークとの通信を容易にすることができる。具体的には、処理回路３５０は、情報をアクセスノード１２に送信してもよく（例えば、無線プロトコルを介して）、そのアクセスノードは、次々にネットワーク１４（例えば、インターネット）に結合されてもよい。送信は、第２の導電体１０ｂ内の電流の測定値を示すデータを含んでもよい。このようにして、第２の導電体１０ｂ内の電流は、リモートで（例えば、リモートオペレーションセンタから）モニタリング及び／又は測定され得る。更に、電流の測定値は、第２の導電体１０ｂからリモートで処理され得る。第２の導電体１０ｂ内の電流に関するデータはまた、モバイル装置１６上のアプリケーションなどを介してリモートユーザにも提示され得る。
【００５０】
処理回路３５０はまた、アクセスノード１２を介してネットワーク１４からの情報の送信を（例えば、無線プロトコルを介して）受信してもよい。送信は、命令、ソフトウェア及び／又はファームウェアの更新、設定等を含んでもよい。
【００５１】
別の実施形態では、処理回路３５０は、第１の導電体１０ａ内の電流を、同時に及び／又は別々にモニタリング及び／又は測定することができる。送信は、第１の導電体１０ａ及び第２の導電体１０ｂ内の電流の測定値を示すデータを含んでもよい。電流の測定は、第１の導電体１０ａ及び第２の導電体１０ｂからリモートで処理され得る。第１の導電体１０ａ及び第２の導電体１０ｂの両方における電流に関するデータはまた、モバイル装置１６上のアプリケーションなどを介してリモートユーザにも提示され得る。
【００５２】
別の実施形態では、別の誘導エネルギー移送電気構成要素が、第３の導電体１０ｃ内の電流をモニタリングするために、第３の導電体１０ｃに近接して利用されてもよい。
【００５３】
更に別の実施形態では、送出回路３３０は、複数の誘導エネルギー移送電気構成要素をモニタリングのための処理回路３５０に電気的に結合してもよい。送出回路３３０は、サンプリング（又は測定）を制御して、第１の導電体１０ａ、第２の導電体１０ｂ、及び第３の導電体１０ｃとの間で交互に行ってもよい。このようにして、任意の数の導電体が、モニタリングされてもよい。
【００５４】
理解され得るように、他の実施形態では、処理回路３５０は、第１、第２、及び／又は第３の導電体１０ａ、１０ｂ、１０ｃ内の電流の検出及び／又は測定に加えて、又はそれらとは別に、様々な機能を実行するための動作を実行してもよい。
【００５５】
図４は、本開示の一実施形態による電流モニタリング装置の処理回路４５０のブロック図である。処理回路４５０は、電子メモリ４１０、１つ以上のプロセッサ４１２、ネットワークインターフェース４１４、Ｉ／Ｏインターフェース４１６、電圧計４２２、及び電源４２４を含み得る。
【００５６】
電子メモリ４１０は、スタティックＲＡＭ、ダイナミックＲＡＭ、フラッシュメモリ、１つ以上のフリップフロップ、又は他の電子記憶媒体を含んでもよい。電子メモリ４１０は、複数のモジュール４３０及びデータ４４０を含んでもよい。
【００５７】
モジュール４３０は、装置の他の要素のすべて又は一部を含んでもよい。モジュール４３０は、１つ以上のプロセッサ４１２によって又はその上で、連続的に、同時に、又は並行して複数の動作を実行してもよい。
【００５８】
いくつかの実施形態では、開示されたモジュール、構成要素、及び／又は設備の各部分は、ハードウェア若しくはファームウェアに組み入れられた実行可能命令として具現化されるか、又は非一過性機械可読記憶媒体上に格納される。本明細書に開示されているように、命令は、その命令がプロセッサ及び／又はコンピューティング装置によって実行されたときに、コンピューティングシステムに、特定の処理ステップ、手順、及び／又は動作を実施させるコンピュータプログラムコードを含み得る。本明細書に開示されたモジュール、構成要素、及び／又は設備は、ドライバ、ライブラリ、インターフェース、ＡＰＩ、ＦＰＧＡ構成データ、ファームウェア（例えば、ＥＥＰＲＯＭ上に格納される）、及び／又は同様のものとして、実施及び／又は具現化されてもよい。いくつかの実施形態では、本明細書に開示されたモジュール、構成要素、及び／又は設備の一部は、汎用及び／又は専用装置などの機械構成要素として具現化され、その機械構成要素として、回路、集積回路、処理構成要素、インターフェース構成要素、ハードウェアコントローラ（複数可）、ストレージコントローラ（複数可）、プログラム可能なハードウェア、ＦＰＧＡ、ＡＳＩＣ、及び／又は同様のものが挙げられるが、これらに限定されない。
【００５９】
モジュール４３０は、電流推測モジュール４３２及びセキュリティシステム４３４を含み得る。この電流推測モジュール４３２は、１つ以上のプロセッサ４１２によって、電圧計４２２などの他の構成要素からの読み取り値に基づいて、モニタリングされるエネルギーソースを流れる電流を推測するための動作を実行することができる。そのセキュリティシステム４３４は、（例えば、アクセスノード１２に）送信されたデータ４４０を安全に暗号化することができる。
【００６０】
電子メモリ４１０上に格納されたデータ４４０は、プログラムモジュール４３０又は他のモジュールなどの処理回路４５０によって生成されたデータ４４０を含んでもよい。格納されたデータ４４０は、１つ以上のメモリレジスタ／アドレス、ファイル、及び／又はデータベースとして整理されてもよい。データ４４０は、構成データ４４２及びサンプルデータ４４４を含んでもよい。（例えば、閾値エネルギー貯蔵レベルを指定する定数又は式、エネルギー貯蔵装置の容量、識別番号、タイムスタンプ、数量、ボリューム／強度等）。
【００６１】
１つ以上のプロセッサ４１２は、任意のコンピューティング回路を含み、インダクタンスに基づいて、エネルギーソース内部の電圧又は電流を検出、測定、及び／又は推測するための動作を実行することができる。１つ以上のプロセッサ４１２は、汎用プロセッサ及び／又は専用プロセッサを含んでもよい。一実施形態では、１つ以上のプロセッサ４１２は、ＬｏＲａ（登録商標）チップ及び／又はＢｌｕｅｔｏｏｔｈ（登録商標）チップを含み、これらのチップは、他のコンピューティング装置と通信するための専用送信（Ｔｘ）及び／又は受信（Ｒｘ）機能性を提供する。これらの専用送信（Ｔｘ）／（Ｒｘ）チップは、ネットワークインターフェース４１４において予備的であってもよく、かつ／又は包含されてもよい。
【００６２】
ネットワークインターフェース４１４は、インターネット、並びに／又は他のコンピューティング及び／若しくは通信ネットワークなどの他のコンピューティング装置及び／又はネットワークとの通信を容易にすることができる。ネットワークインターフェース４１４は、従来のネットワーク接続機能性を装備してもよい。ネットワークインターフェース４１４は、従来の無線ネットワーク接続機能性技術を装備した無線ネットワークインターフェースであってもよい。
【００６３】
Ｉ／Ｏインターフェース４１６は、１つ以上の入力装置及び／又は１つ以上の出力装置とのインターフェース接続を容易にすることができる。
【００６４】
システムバス４１８は、処理回路４５０の他の構成要素間の通信及び／又はやりとりを容易にすることができ、その構成要素には、電子メモリ４１０、１つ以上のプロセッサ４１２、ネットワークインターフェース４１４、Ｉ／Ｏインターフェース４１６、及び電圧計４２２が含まれる。
【００６５】
電圧計４２２は、起電力が誘導エネルギー移送電気構成要素を介して内部で誘導される回路の両端電圧を測定するために、送出回路に、又は誘導エネルギー移送電気構成要素に結合される。上述したように、モニタリングされるエネルギーソース内部の変動電流は、誘導エネルギー移送電気構成要素内部で電磁界を生成することができる。電磁界は、次々に、回路内に電流及び／又は電圧を引き起こす結合回路内に起電力を生成する。電圧計４２２は、回路内の電圧を読み取るか、又は測定することができる。回路内の電圧に関する電圧計４２２の測定を使用して（例えば、電流推測モジュール４３２によって）、モニタリングされるエネルギーソース内の電流を推測することができる。
【００６６】
電源４２４は、例えば、電力管理回路を介して、エネルギー貯蔵装置から解放された貯蔵エネルギーを受け取る。電源４２４は、処理回路４５０を通じて受け取ったエネルギーを分配して、様々な構成要素に電力供給することができる。別の言い方をすれば、エネルギーを受け取ると、電源４２４は、処理回路４５０に電源投入する。
【００６７】
理解され得るように、他の実施形態では、処理回路４５０は、図示又は記載されたものよりも単純であってもよい。例えば、特定の設計では、メモリ、複数のプロセッサ、複数のインターフェース等のような１つ以上の構成要素よりも優先して、代わりに、ベア金属により近い又はその直上にある命令を実行してもよい（例えば、オペレーティングシステム又は他のソフトウェアレイヤを介在させずに、論理ハードウェア上で直接命令を実行すること）。
【００６８】
図５は、一実施形態による、エネルギーソース内の電流をモニタリングする方法５００のフロー図である。誘導によって、電気エネルギーが、送出回路内部などで生成される５０２。例えば、変流器を使用して、送出回路内に起電力を駆動することによって電気エネルギーを生成することができる。変流器は、モニタリングされるエネルギーソース内の変動する電流の流れから発生する変動磁界から起電力を生成することができる。電気エネルギーが生成されると５０２、バッテリ、コンデンサ、又は他のエネルギー貯蔵装置などのエネルギー貯蔵装置内に貯蔵され得る５０４。
【００６９】
貯蔵される電気エネルギー５０４は、使用するために、エネルギー貯蔵装置から解放され得る５０６。例えば、電気エネルギーは、貯蔵された電気エネルギーが所定の閾値レベルに達すると、解放され得る５０６。電気エネルギーは、処理回路に電力供給するために、エネルギー貯蔵装置から解放され得る５０６。
【００７０】
処理回路は、送出回路に電気的に結合され得る５０８。送出回路と処理回路との結合５０８によって、処理回路アクセスが、モニタリングされるエネルギーソースの状態又はその指示をサンプリング若しくは測定することを可能にするか、又はそれ以外では許可することができる。具体的には、１つ以上の動作が、処理回路によって実行され得、送出回路内の誘導に基づいて、モニタリングされるエネルギーソース内の電流を検出及び／又は測定することができる。それらの動作は、送出回路内部の電圧の測定値を取得することを含んでもよく、その測定値から、モニタリングされるエネルギーソース内の電流が、オームの法則及び／又は電力方程式に基づいて推測され得る。
【００７１】
図６は、本開示の一実施形態による、電流モニタリング装置６００及び電流モニタリングハブ６２０のブロック図である。電流モニタリング装置６００は、エネルギーソース上の電流を測定し、追加処理のために測定された電流を電流モニタリングハブ６２０に送信することができる。電流モニタリングハブ６２０は、図１の他のコンピューティング装置１２の一実施形態であってもよい。
【００７２】
電流モニタリング装置６００は、変流器６０２、整流器６０４、コントローラ６０６、コンデンサ６０８、コンデンサ保護回路６１０、電流センサ６１２、及び送受信機６１４を含み得る。変流器６０２は、モニタリングされるエネルギーソース内の変動する電流の流れから内部で誘導される変動磁界に起因して、電流モニタリング装置６００内に電流を生成することができる。整流器６０４は、交流を直流に変換することができる。コントローラ６０６は、エネルギー貯蔵装置（例えば、コンデンサ６０８）と、電流センサ６１２及び送受信機６１４との間の電流の流れを方向付ける。コンデンサ保護回路６１０は、過電流及び負電圧からコンデンサを保護することができる。
【００７３】
電流モニタリング装置６００は、電源内蔵式であってもよい。言い替えると、変流器６０２内に誘導された電流は、電流モニタリング装置６００の要素に電力を供給することができる。例えば、電流センサ６１２及び送受信機６１４は、電力を使用して、電流測定値を取得し、信号を送信し、かつ／又は信号を受信することができる。しかしながら、誘導された電流は、モニタリングされるエネルギーソース内の電流の流れに依存するため、電流センサ６１２及び送受信機６１４に利用可能な電力が常に十分であるとは限らない場合がある。
【００７４】
いくつかの実施形態では、電流モニタリング装置６００は、コンデンサ６０８の断続的なモニタリング及び既知のエネルギー貯蔵容量を使用して、利用可能な電力が当てにならない場合に、モニタリングされるエネルギーソース上の電流をモニタリングすることができる。例えば、コントローラ６０６は、貯蔵された電気エネルギーの所定の閾値レベルが満たされるまで、コンデンサ６０８に方向付けることができる。貯蔵された電気エネルギーのその所定の閾値レベルは、電流センサ６１２及び送受信機６１４が電流測定及び通信機能を達成するのに十分であり得る。いくつかの実施形態では、所定の閾値レベルは、コンデンサ６０８の貯蔵容量と同等である。これらの実施形態では、コントローラ６０６は、コンデンサを充満させ、次いで貯蔵された電気エネルギーを、コンデンサから電流センサ６１２及び送受信機６１４に方向付けることができる。
【００７５】
このため、電流センサ６１２は、電流を断続的に測定することができる。この断続的な測定によって、電流のいくつかのデータポイントを提供することができる。しかしながら、電流センサ６１２が電力を供給されず、電流を測定することができない時間帯があり得る。電流センサ６１２がオフ状態にあるこれらの時間帯の間、電流は、コンデンサ６０８を充電するのに必要とされる電流の量に基づいて、既知であり得る。このため、送受信機６１４は、測定された電流、及び所定の閾値レベルを電流モニタリングハブ６２０に送信して、電流センサ６１２が動作している間（オン状態）、並びにコンデンサ６０８が充電している間（オフ状態）の両方で電流データを提供することができる。いくつかの実施形態では、所定の閾値は、電流モニタリングハブ６２０に既知であってもよい。いくつかの実施形態では、所定の閾値は、電流モニタリング装置６００によって電流モニタリングハブ６２０に送信されてもよい。
【００７６】
電流モニタリングハブ６２０は、送受信機６２２、クロック６２４、１つ以上のプロセッサ６２６、及びメモリ６２８を含み得る。電流モニタリングハブ６２０は、電流データを収集して、電流センサ６１２のオン状態及びオフ状態の両方に関する電流モニタリングを提供することができる。送受信機６２２は、電流モニタリング装置６００からのデータを受信する。このデータは、測定された電流及び所定の閾値の値を含んでもよい。電流モニタリングハブ６２０は、１つ以上の電流モニタリング装置からのデータを受信することができる。
【００７７】
メモリ６２８は、測定された電流６４２を含むデータ６４０を格納することができる。このメモリは、モジュール６３０を更に含んでもよく、そのモジュールは、１つ以上のプロセッサ（複数可）６２６によって実行されたときに、電流モニタリングハブに動作を実行させることができる。このモジュールは、タイムスタンプモジュール６３４及び電流推測モジュール６３２を含んでもよい。このタイムスタンプモジュール６３４は、クロック６２４を使用して、任意の受信した電流測定値の受信時間を識別することができる。
【００７８】
電流推測モジュール６３２は、エネルギー貯蔵装置が電気エネルギーを貯蔵していた間、オフ状態の時間帯、及びモニタリングされるエネルギーソース内にあった過去の電流を算出することができる。例えば、オフ状態の時間帯の長さを算出するために、電流推測モジュール６３２は、受信した各電流測定値間のタイムスタンプを比較することができる。過去の電流を算出するために、電流推測モジュール６３２は、所定の閾値レベルを使用することができる。その結果得られた推測オフ状態電流は、蓄積された６４４電流データとして格納され得る。
【００７９】
一実施形態では、電流モニタリングハブ６２０は、第１の時間帯の間にエネルギーモニタリング装置から第１の組の電流モニタリングパラメータを受信し得、その電流モニタリングパラメータは、第１の時間帯中にモニタリングされるエネルギーソース内の測定された電流を含む。電流モニタリングハブ６２０は、第２の時間帯の間にエネルギーモニタリング装置から第２の組の電流モニタリングパラメータを更に受信し得、その電流モニタリングパラメータは、第２の時間帯中にモニタリングされるエネルギーソース内の測定された電流を含む。第１の時間帯及び第２の時間帯は、異なってもよく、第１の時間帯と第２の時間帯との間に第３の時間帯があってもよい。第３の時間帯中にモニタリングされるエネルギーソースを通過する過去の電流を算出するために、モニタリングハブ６２０は、エネルギーモニタリング装置を電力供給するのに必要とされる電流の量、及び第１の時間帯と第２の時間帯との間の時間の長さを考慮してもよい。
【００８０】
本明細書に使用されるとき、プロセッサ又は処理装置には、ＡＲＭ（登録商標）、Ｉｎｔｅｌ（登録商標）、ＡＭＤ（登録商標）、又は他の標準的なマイクロプロセッサなどの１つ以上の汎用装置、及び／又はＡＳＩＣ、ＳｏＣ、ＳｉＰ、ＦＰＧＡ、ＰＡＬ、ＰＬＡ、ＦＰＬＡ、ＰＬＤ、又は他のカスタマイズされた若しくはプログラム可能な装置などの１つ以上の専用装置が含まれ得る。プロセッサ又は処理装置は、分散（例えば、並列）処理を実行して、本実施形態の機能性を実行、又はそれ以外では実施することができる。プロセッサ又は処理装置は、標準的なオペレーティングシステムを実行し、標準的なオペレーティングシステム機能を実行してもよい。
【００８１】
本明細書における参考としての電子メモリは、スタティックＲＡＭ、ダイナミックＲＡＭ、フラッシュメモリ、１つ以上のフリップフロップ、ＲＯＭ、ＣＤ−ＲＯＭ、ＤＶＤ、ディスク、テープ、又は磁気、光学、若しくは他のコンピュータ記憶媒体を含んでもよい。電子メモリは、複数のプログラムモジュール及び／又はプログラムデータを含んでもよい。電子メモリは、ローカルであってもよく、又はネットワーク上でリモート及び／若しくは分散されてもよい。
【００８２】
本明細書に記載されたＩ／Ｏインターフェースは、１つ以上の入力装置及び／又は１つ以上の出力装置とのインターフェース接続を容易にすることができる。入力装置（複数可）には、キーボード、マウス、タッチスクリーン、ライトペン、タブレット、マイクロフホン、センサ、又は付随するファームウェア及び／若しくはソフトウェアを有する他のハードウェアが含まれてもよい。出力装置（複数可）には、モニタ若しくは他のディスプレイ、プリンタ、音声又は文字合成器、スイッチ、信号線、又は付随するファームウェア及び／若しくはソフトウェアを有する他のハードウェアが含まれてもよい。
【００８３】
本明細書に記載されたネットワークインターフェースは、インターネット、並びに／又は他のコンピューティング及び／若しくは通信ネットワーク／装置などの他のコンピューティング及び／又はネットワークとの通信を容易にすることができる。ネットワークインターフェースは、無線であるか又は有線であるかに関わらず、例えば、イーサネット（ＩＥＥＥ８０２．３）、トークンリング（ＩＥＥＥ８０２．５）、光ファイバ分散データインターフェース（Fiber Distributed Datalink Interface、ＦＤＤＩ）、若しくは非同期転送モード（Asynchronous Transfer Mode、ＡＴＭ）、電話回線、モデム全般などの従来のネットワーク接続機能性を装備してもよい。更に、コンピュータは、例えば、インターネットプロトコル（Internet Protocol、ＩＰ）、転送制御プロトコル（Transfer Control Protocol、ＴＣＰ）、ネットワークファイルシステムオーバーＵＤＰ／ＴＣＰ、サーバメッセージブロック（Server Message Block、ＳＭＢ）、Ｍｉｃｒｏｓｏｆｔ（登録商標）共通インターネットファイルシステム（Common Internet File System、ＣＩＦＳ）、ハイパーテキスト転送プロトコル（Hypertext Transfer Protocol、ＨＴＴＰ）、ダイレクトアクセスファイルシステム（Direct Access File System、ＤＡＦＳ）、ファイル転送プロトコル（File Transfer Protocol、ＦＴＰ）、リアルタイム出版購読（Real-Time Publish Subscribe、ＲＴＰＳ）、開放型システム間相互接続（Open Systems Interconnection、ＯＳＩ）プロトコル、シンプルメールトランスファープロトコル（Simple Mail Transfer Protocol、ＳＭＴＰ）、セキュアシェル（Secure Shell、ＳＳＨ）、セキュアソケットレイヤ（Secure Socket Layer、ＳＳＬ）などの様々なネットワークプロトコルをサポートするように構成されてもよい。
【００８４】
本明細書に記載されたような無線ネットワークインターフェースは、例えば、無線パーソナルエリアネットワーク（Wireless Personal Area Network、ＷＰＡＮ）技術（例えば、ＩｒＤＡ、ブルートゥース、ＩＥＥＥ８０２．１５．４ａ（Ｚｉｇｂｅｅ）、及びＩＥＥＥ８０２．１５．３ｃ（ＵＷＢ））、無線ローカルエリアネットワーク（Wireless Local Area Network、ＷＬＡＮ）技術（例えば、ＩＥＥＥ８０２．１１ａ／ｂ／ｇ（Ｗｉ−Ｆｉ）、専有ＭＩＭＯ製品、及びＩＥＥＥ８０２．１１ｎ）、無線メトロポリタンエリアネットワーク（Wireless Metropolitan Area Network、ＷＭＡＮ）技術（例えば、ＩＥＥＥ８０２．１６広帯域無線アクセスＷＭＡＮ標準規格（ＷｉＭＡＸ）及びＩＥＥＥ８０２．２０（モバイルＷｉＭＡＸ））、並びに無線ワイドエリアネットワーク（Wireless Wide Area Network、ＷＷＡＮ）技術（例えば、ＬｏＲａＷＡＮ、ＧＳＭ／ＧＰＲＳ／ＥＤＧＥ、ＣＤＭＡ２０００、１ｘＲＴＴ、ＵＭＴＳ／ＨＳＤＰＡ、ＬＴＥ、ＣＤＭＡ  ＥＶ−ＤＯ  Ｒｅｖ．０／Ａ、ＨＳＵＰＡ及びＥＶ−ＤＯ  Ｒｅｃ．Ｃ、衛星、ソナー／サウンド、Ｚ−波、Ｓｉｇｆｏｘ、ＬＰＷＡＮ、及び同様のもの）などの従来の無線ネットワーク接続機能性技術を装備してもよい。
【００８５】
理解され得るように、他の方法及びプロセスが、利用可能であり、システム実施形態の動作を説明している上記の記載の中に含まれ、本開示の範囲内である。
【００８６】
例示的実施形態
【００８７】
誘導電力供給された電流モニタリングに関するいくつかの実施形態の例が、以下に与えられている。
【００８８】
例１．電流モニタリング装置では、変動磁界は、モニタリングされるエネルギーソース（例えば、ワイヤ）内の変動する電流の流れから内部で誘導される電気的構成要素（例えば、変流器、誘導周波数パネル（Ｑｉと同様）などの誘導エネルギー移送媒体）であって、その変動磁界が、電気エネルギーを生成するための起電力を生成する、電気的構成要素と、電気エネルギーを貯蔵するためのエネルギー貯蔵装置（例えば、コンデンサ、バッテリ）と、エネルギー貯蔵装置内の電気エネルギーの貯蔵を制御し、かつ／又はエネルギー貯蔵装置からの電気エネルギーの解放を制御するための電力管理回路と、電気的構成要素が発生した変動磁界に基づいて、モニタリングされるエネルギーソース内の電流を検出及び測定するための処理回路であって、その処理回路が、エネルギー貯蔵装置から解放された電気エネルギーを使用して電力供給される電力管理回路に電気的に結合されている、処理回路と、を備える。
【００８９】
例２．例１の電流モニタリング装置では、エネルギー貯蔵装置又は処理回路のいずれかへの電流の送出を制御又は方向付けするための送出回路を更に備え、電気的構成要素によって生成された変動磁界が、送出回路内で起電力を誘導して、電気エネルギーをエネルギー貯蔵装置に送出するための電流を提供する。
【００９０】
例３．例１の電流モニタリング装置では、モニタリングされるエネルギーソース内の変動する電流の流れは、交流（ＡＣ）である。
【００９１】
例４．例１の電流モニタリング装置では、モニタリングされるエネルギーソース内の変動する電流の流れは、直流（ＤＣ）である。
【００９２】
例５．電流モニタリング装置では、変動磁界は、モニタリングされるエネルギーソース内の変動する電流の流れから内部で誘導される電気的構成要素であって、その変動磁界が、電気エネルギーを提供するための起電力を生成する、電気的構成要素と、電気エネルギーの第１の部分を貯蔵する（そして、使用するために電気エネルギーの第１の部分を解放する）ためのエネルギー貯蔵装置と、エネルギー貯蔵装置内の電気エネルギーの第１の部分の貯蔵を制御する（そして、エネルギー貯蔵装置から電気エネルギーの第１の部分を解放する）ための電力管理回路と、電気エネルギーの第２の部分（電気的構成要素内で誘導された変動磁界によって生成された起電力により提供される）に基づいて、モニタリングされるエネルギーソース内の電流を検出するための処理回路であって、その処理回路が、エネルギー貯蔵装置から解放される電気エネルギーの第１の部分によって電力供給され得る、処理回路と、を備える。
【００９３】
例６．例５の電流モニタリング装置では、貯蔵されるエネルギー貯蔵装置への、電気エネルギーの第１の部分の送出、及びモニタリングされるエネルギーソース内の電流を検出するための処理回路への、電気エネルギーの第２の部分の送出を制御するための送出回路を更に備える。
【００９４】
例７．例６の電流モニタリング装置では、送出回路が、エネルギー貯蔵装置内の電気エネルギーの第１の部分を貯蔵することから、エネルギー貯蔵装置から電気エネルギーの第１の部分を解放することへの移行において、電力管理回路によって切り替えられるゲートを含み、ゲートが、エネルギー貯蔵装置から処理回路への、電気エネルギーの送出を切り替える。
【００９５】
例８．例５の電流モニタリング装置では、電力管理回路は、電力管理回路及び処理回路のうちの一方又は両方を開閉するリレーを含む。
【００９６】
例９．例８の電流モニタリング装置では、リレーが、第１の位置において電力管理回路を閉じ、かつ処理回路を開き、第２の位置において電力管理回路を開き、かつ処理回路を閉じる。
【００９７】
例１０．例５の電流モニタリング装置では、処理回路が、電気エネルギーの第２の部分に基づいて、モニタリングされるエネルギーソース内の電流を更に測定することができる。
【００９８】
例１１．例５の電流モニタリング装置では、モニタリングされるエネルギーソース内の変動する電流の流れは、交流（ＡＣ）である。
【００９９】
例１２．例５の電流モニタリング装置では、モニタリングされるエネルギーソース内の変動する電流の流れは、直流（ＤＣ）である。
【０１００】
例１３．誘導的に電力供給された電流モニタリング装置は、変動磁界は、モニタリングされるワイヤ内の変動する電流の流れから内部で誘導される変流器（又は他の誘導エネルギー移送媒体）であって、その変動磁界が、電気エネルギーを提供するための起電力を生成する、変流器と、変流器によって生成された電気エネルギーを貯蔵するための、変流器に電気的に結合されたコンデンサと、コンデンサ内の電気エネルギーの貯蔵を方向付けするための電力管理回路（例えば、ゲートへのリレー又はスイッチ）と、変流器内で誘導された変動磁界によって生成された起電力により提供される電気エネルギーに基づいて、モニタリングされるワイヤ内の電流を測定するための分析回路であって、その分析回路が、（電気的に電力管理回路に結合されて）コンデンサから解放された電気エネルギーを使用して電力供給される、分析回路と、を備える。
【０１０１】
例１４．誘導的に電力供給された装置は、変動磁界がエネルギーソース内の変動電流によって内部で誘導されるエネルギーソース（例えば、ワイヤ）に近接して（例えば、電気的に結合されずに）位置決めされるインダクタ（例えば、誘導エネルギー移送媒体）と、インダクタ内で誘導された変動磁界から生成された起電力により供給された電気エネルギーを貯蔵するための、インダクタに電気的に結合されたエネルギー貯蔵装置（例えば、コンデンサ、バッテリ）と、エネルギー貯蔵装置に電気的に結合された電力管理回路であって、その電力管理回路が、エネルギー貯蔵装置内の電気エネルギーの貯蔵と、エネルギー貯蔵装置からの電気エネルギーの解放との間の切り替えを管理する、電力管理回路と、（例えば、電力管理回路が、エネルギー貯蔵装置から電気エネルギーを解放するために切り替えるときに、）エネルギー貯蔵装置から解放された電気エネルギーを使用して動作する、電力管理回路に電気的に結合された消費回路と、を備える。
【０１０２】
例１５．エネルギーソース内の電流をモニタリングするための方法であって、この方法は、誘導により送出回路内部で電気エネルギーを生成することであって、モニタリングされるエネルギーソース内の変動する電流の流れから発生した変動磁界から、送出回路内に起電力を駆動することを含む、生成することと、電気エネルギーをエネルギー貯蔵装置内に貯蔵することと、貯蔵された電気エネルギーの所定の閾値レベルが満たされると、処理回路に電力供給するようにエネルギー貯蔵装置から電気エネルギーを解放することと、送出回路を処理回路に電気的に結合することと、処理回路によって１つ以上の動作を実行することであって、送出回路内の誘導に基づいて、モニタリングされるエネルギーソース内の電流を検出及び／又は測定することを含む、実行することと、を含む。
【０１０３】
例１６．電流モニタリング装置は、プライマリエネルギーソース（例えば、ワイヤ）に近接して位置決めされる誘導エネルギー移送媒体であって、その誘導エネルギー移送媒体は、送出回路内に起電力を生成して電気エネルギーを提供する、誘導エネルギー移送媒体と（例えば、起電力は、プライマリエネルギーソース内の変動する電流の流れからの変動磁界によって誘導される）、電気エネルギーを貯蔵するためのエネルギー貯蔵装置と、エネルギー貯蔵装置内の電気エネルギーを制御し、かつエネルギー貯蔵装置からの電気エネルギーの解放を制御するための電力管理回路と、送出回路内の起電力に基づいて、モニタリングされるエネルギーソース内の電流を検出及び測定するための処理回路であって、その処理回路は、エネルギー貯蔵装置から解放された電気エネルギーによって電力供給される電力管理回路に電気的に結合され得る、処理回路と、を備える。
【０１０４】
例１７．例１６の電流モニタリング装置では、モニタリングされるエネルギーソースは、プライマリエネルギーソースと同じである。
【０１０５】
前述の明細書では、様々な実施形態を参照して説明されている。しかしながら、当業者であれば、本開示の範囲、及び本発明の背後にある原理から逸脱せずに、様々な修正及び変更が行われ得ることを理解する。したがって、本開示は、限定的な意味ではなく、例示的な意味とみなされるべきであり、このようなすべての修正は、本発明の範囲内に含まれることを意図されている。同様に、利益、他の利点、及び課題に対する解決策が、様々な実施形態に関して上述されてきた。しかしながら、利益、利点、課題に対する解決策、及び任意の利益、利点、又は解決策を生じさせるか若しくは明白になり得るいかなる要素（複数可）も、決定的な、必須の、又は本質的な特徴又は要素と解釈されるべきではない。
【０１０６】
例１８．電流モニタリング装置では、変動磁界が、モニタリングされるエネルギーソース内の変動する電流の流れから内部で誘導される電気的構成要素であって、その変動磁界が、電気エネルギーを提供するための起電力を生成する、電気的構成要素と、電気エネルギーの第１の部分を貯蔵するためのエネルギー貯蔵装置と、エネルギー貯蔵装置内の電気エネルギーの第１の部分の貯蔵を制御するための電力管理回路と、エネルギー貯蔵装置から解放される電気エネルギーの第１の部分によって電力供給される処理回路と、を備え、その処理回路が、電気エネルギーの第２の部分に基づいて、モニタリングされるエネルギーソース内の現在のリアルタイム電流を検出し、エネルギー貯蔵装置内に電気エネルギーの第１の部分を貯蔵する間にモニタリングされるエネルギーソース内にあった過去の電流を算出し、過去の電流が、電気エネルギーの第１の部分、及び以前に検出されたリアルタイム電流と現在のリアルタイム電流との間の経過した時間に基づく。
【０１０７】
例１９．例１８の電流モニタリング装置は、貯蔵されるエネルギー貯蔵装置への、電気エネルギーの第１の部分の送出、並びにモニタリングされるエネルギーソース内の現在のリアルタイム電流を検出し、かつモニタリングされるエネルギーソース内にあった過去の電流を算出するための処理回路への、電気エネルギーの第２の部分の送出を制御するための送出回路を更に備える。
【０１０８】
例２０．例１９の電流モニタリング装置は、送出回路が、エネルギー貯蔵装置内の電気エネルギーの第１の部分を貯蔵することから、エネルギー貯蔵装置から電気エネルギーの第１の部分を解放することへの移行において、電力管理回路によって切り替えられるゲートを含み、ゲートが、エネルギー貯蔵装置から処理回路への、電気エネルギーの送出を切り替える。
【０１０９】
例２１．例１８の電流モニタリング装置は、電力管理回路が、電力管理回路及び処理回路のうちの一方又は両方を開閉するリレーを含む。
【０１１０】
例２２．例１８の電流モニタリング装置は、モニタリングされるエネルギーソース内の変動する電流の流れが、交流（ＡＣ）である。
【０１１１】
例２３．例１８の電流モニタリング装置は、モニタリングされるエネルギーソース内の変動する電流の流れが、直流（ＤＣ）である。
【０１１２】
例２４．エネルギーモニタリング装置は、変動磁界が、モニタリングされるワイヤ内の変動する電流の流れから内部で誘導されるインダクタであって、変動磁界が、電気エネルギーを提供するための起電力を生成する、インダクタと、インダクタによって生成された電気エネルギーを貯蔵するための、インダクタに結合されたエネルギー貯蔵装置と、エネルギー貯蔵装置によって電力供給されたときに、モニタリングされるワイヤ内のリアルタイム電流を測定するための分析回路であって、エネルギー貯蔵装置は、貯蔵された電気エネルギーの所定の閾値レベルが満たされるときに、分析回路に電力を供給する、分析回路と、電流モニタリングパラメータを送信するための送信機であって、電流モニタリングパラメータの内容及びタイミングは、分析回路がリアルタイム電流を測定するための電力を供給される前に、モニタリングされるワイヤ上に伝導する電気エネルギーを示し、分析回路が電力を供給されている間に、モニタリングされるワイヤ上に伝導する電気エネルギーを示す、送信機と、を備える。
【０１１３】
例２５．例２４のエネルギーモニタリング装置では、エネルギー貯蔵装置は、コンデンサである。
【０１１４】
例２６．例２４のエネルギーモニタリング装置は、エネルギー貯蔵装置に電気的に結合された電力管理回路を更に備え、電力管理回路が、エネルギー貯蔵装置内の電気エネルギーの貯蔵と、エネルギー貯蔵装置からの電気エネルギーの解放との間の切り替えを管理する。
【０１１５】
例２７．例２４のエネルギーモニタリング装置では、電流モニタリングパラメータが、エネルギー貯蔵装置の貯蔵容量を含み、所定の閾値レベルが、貯蔵容量に対応する。
【０１１６】
例２８．例２４のエネルギーモニタリング装置では、送信機は、貯蔵された電気エネルギーの所定の閾値レベルが満たされ、かつエネルギー貯蔵装置が送信機に電力を供給するときに、電流モニタリングパラメータを送信し始める。
【０１１７】
例２９．機械可読命令を含む機械可読記憶媒体は、命令が、１つ以上のプロセッサにより実行されたときに、１つ以上のプロセッサに、第１の時間帯の間に、エネルギーモニタリング装置から第１の組の電流モニタリングパラメータを受信することであって、電流モニタリングパラメータが、第１の時間帯中に、モニタリングされるエネルギーソース内の測定された電流を含む、受信することと、第２の時間帯の間、エネルギーモニタリング装置から第２の組の電流モニタリングパラメータを受信することであって、電流モニタリングパラメータが、第２の時間帯中、モニタリングされるエネルギーソース内の測定された電流を含み、第１の時間帯及び第２の時間帯が異なり、かつ第１の時間帯と第２の時間帯との間に第３の時間帯が存在する、受信することと、所定の閾値に到達するのに必要とされる電流量に基づいて、第３の時間帯中、モニタリングされるエネルギーソースを通過した過去の電流を算出することと、を含む、動作を実行させるように構成されている。
【０１１８】
例３０．例２９の機械可読記憶媒体は、第１の組の電流モニタリングに対応する第１のタイムスタンプを発生させることと、第２の組の電流モニタリングに対応する第２のタイムスタンプを発生させることと、第１のタイムスタンプと第２のタイムスタンプとの間に経過した時間量に基づいて、第３の時間帯の長さを算出することと、を更に含む。
【０１１９】
例３１．例２９の機械可読記憶媒体は、エネルギーモニタリング装置のエネルギー貯蔵容量を受信することを更に含む。
【０１２０】
例３２．例３１の機械可読記憶媒体は、所定の閾値が、エネルギー貯蔵容量を充満するのに必要とされる電流である。
【０１２１】
例３３．例２９の機械可読記憶媒体は、所定の閾値が、エネルギーモニタリング装置に電力供給するのに必要とされる電流である。
【０１２２】
例３４．例２９の機械可読記憶媒体は、第２のエネルギーモニタリング装置から、第２のモニタリングされるエネルギーソース上の電流測定値を受信することと、第２のエネルギーモニタリング装置に電力供給するのに必要とされる電流量に基づいて、電流測定値が利用不可能である時間帯の間に、第２のモニタリングされるエネルギーソース上の電流を算出することと、を更に含む。
【０１２３】
例３４．例３４の機械可読記憶媒体では、電流モニタリングパラメータは、モニタリングされるエネルギーソース内の測定された電流が区別され得るような識別を含む。
【０１２４】
例３５．エネルギーソース内の電流をモニタリングするための方法であって、この方法は、誘導により送出回路内部で電気エネルギーを生成することであって、モニタリングされるエネルギーソース内の変動する電流の流れから発生した変動磁界から、送出回路内に起電力を駆動することを含む、生成することと、電気エネルギーをエネルギー貯蔵装置内に貯蔵することと、貯蔵された電気エネルギーの所定の閾値レベルが満たされると、処理回路に電力供給するようにエネルギー貯蔵装置から電気エネルギーを解放することと、送出回路を処理回路に電気的に結合することと、処理回路によって１つ以上の動作を実行することであって、エネルギー貯蔵装置からの電気エネルギーが処理回路に電力供給している間、送出回路内の誘導に基づいて、モニタリングされるエネルギーソース内のリアルタイム電流を測定することを含む、実行することと、電流エネルギーがエネルギー貯蔵装置内に貯蔵されていたときに、モニタリングされるエネルギーソース内にあった過去の電流を推測することであって、過去の電流が、所定の閾値に基づいて推測され、所定の閾値レベルが満たされたときに推測される、推測することと、を含む。
【０１２５】
例３６．例３５の方法は、過去の電流が、測定値とエネルギー貯蔵装置容量との間の時間に基づいて、推測される。
【０１２６】
例３７．機器は、第１の時間帯の間に、エネルギーモニタリング装置から第１の組の電流モニタリングパラメータを受信することであって、電流モニタリングパラメータが、第１の時間帯中に、モニタリングされるエネルギーソース内の測定された電流を含む、受信することと、第２の時間帯の間、エネルギーモニタリング装置から第２の組の電流モニタリングパラメータを受信することであって、電流モニタリングパラメータが、第２の時間帯中、モニタリングされるエネルギーソース内の測定された電流を含み、第１の時間帯及び第２の時間帯が異なり、かつ第１の時間帯と第２の時間帯との間に第３の時間帯が存在する、受信することと、を行う、送受信機と、所定の閾値に到達するのに必要とされる電流量に基づいて、第３の時間帯中、モニタリングされるエネルギーソースを通過した過去の電流を算出するためのプロセッサと、を備える。
【０１２７】
本開示の原理が様々な実施形態に示されてきたが、実際に使用される構造、配置、比率、要素、材料、及び構成要素の多くの修正が、具体的な環境及び動作要件に対して特に適用されて、本開示の原理及び範囲から逸脱することなく使用され得る。これら及び他の変更又は修正は、本開示の範囲内に含まれることが意図される。
【０１２８】
当業者は、多くの変更が、本発明の基礎をなす原理から逸脱することなく、上記の実施形態の詳細に対してなされ得ることを認識するであろう。排他的な権利又は特権が特許請求される本発明の実施形態は、以下のとおり定義される。
【図１】
2020526175.tif 000003
【図２】
2020526175.tif 000004
【図３】
2020526175.tif 000005
【図４】
2020526175.tif 000006
【図５】
2020526175.tif 000007
【図６】
2020526175.tif 000008
【国際調査報告】
2020526175.tif 000009